(57)【要約】  差出人及び受取人の住所、氏名などの個人情報を必要とせず、非対面形式での荷物の差出及び受取を可能とする完全非対面物流システムを提供すること。  ネットワークに接続されているコンピュータからなり、特定の物品を差し出す物品差出人と、当該特定の物品を受け取る物品受取人との間に成立した特定の取引を特定する取引ＩＤが登録される記憶部又は、前記取引ＩＤを発行するＩＤ発行処理部と、前記取引ＩＤの認証処理を行う認証処理部と、前記物品差出人が前記物品を前記物品受取人へ送付するにあたって前記物品を一時保管する差出拠点ＢＯＸから、前記取引ＩＤを用いた認証要求を受け前記物品受取人が前記送付される前記物品を受け取るにあたって前記物品を一時保管する受取拠点ＢＯＸを特定する情報を受けた後に、物流事業者が使用する物流事業者端末に対して、前記差出拠点ＢＯＸから前記物品を取り出して前記受取拠点ＢＯＸへ移送し、前記受取拠点ＢＯＸへ前記物品の一時保管を行うように物品移送指示情報を出す物品移送指示情報作成処理部とを備えている完全非対面物流システム。
2017056177.tif 000002
【特許請求の範囲】
【請求項１】
ネットワークに接続されているコンピュータからなり、
記憶部を備えていて、当該記憶部に、特定の物品を差し出す物品差出人と、当該特定の物品を受け取る物品受取人との間に成立した特定の取引を特定する取引ＩＤが登録され、更に、
前記取引ＩＤを用いた認証要求を受けた際に認証処理を行う認証処理部と、
前記物品差出人が前記特定の物品を前記物品受取人へ送付するにあたって前記特定の物品を一時保管する拠点ＢＯＸである差出拠点ＢＯＸから前記取引ＩＤを用いた認証要求を受け、前記物品受取人が前記送付される前記特定の物品を受け取るにあたって前記特定の物品を一時保管する拠点ＢＯＸである受取拠点ＢＯＸを特定する情報を受けた後に、物流事業者が使用する物流事業者端末に対して、前記差出拠点ＢＯＸから前記特定の物品を取り出して前記受取拠点ＢＯＸへ移送し、前記受取拠点ＢＯＸへ前記特定の物品の一時保管を行うように物品移送指示情報を出す物品移送指示情報作成処理部と
を備えている完全非対面物流システム。
【請求項２】
前記記憶部には、更に、前記物品差出人を特定する物品差出人ＩＤと、前記物品受取人を特定する物品受取人ＩＤとがそれぞれ前記取引ＩＤに関連付けて登録される請求項１記載の完全非対面物流システム。
【請求項３】
ネットワークに接続されているコンピュータからなり、
記憶部と、
特定の物品を差し出す物品差出人と、当該特定の物品を受け取る物品受取人との間に成立した特定の取引を特定する取引ＩＤを発行するＩＤ発行処理部と、
前記取引ＩＤを用いた認証要求を受けた際に認証処理を行う認証処理部と、
前記物品差出人が前記特定の物品を前記物品受取人へ送付するにあたって前記特定の物品を一時保管する拠点ＢＯＸである差出拠点ＢＯＸから前記取引ＩＤを用いた認証要求を受け、前記物品受取人が前記送付される前記特定の物品を受け取るにあたって前記特定の物品を一時保管する拠点ＢＯＸである受取拠点ＢＯＸを特定する情報を受けた後に、物流事業者が使用する物流事業者端末に対して、前記差出拠点ＢＯＸから前記特定の物品を取り出して前記受取拠点ＢＯＸへ移送し、前記受取拠点ＢＯＸへ前記特定の物品の一時保管を行うように物品移送指示情報を出す物品移送指示情報作成処理部と
を備えている完全非対面物流システム。
【請求項４】
前記ＩＤ発行処理部は、更に、前記物品差出人を特定する物品差出人ＩＤと、前記物品受取人を特定する物品受取人ＩＤとをそれぞれ前記取引ＩＤに関連付けて発行する請求項３記載の完全非対面物流システム。
【請求項５】
前記認証処理部は、更に、物品差出人ＩＤ又は前記物品受取人ＩＤを用いた認証要求を受けた際にそれぞれ認証処理を行う
請求項２又は４記載の完全非対面物流システム。
【請求項６】
拠点ＢＯＸ管理部を更に備えていて、前記差出拠点ＢＯＸから前記取引ＩＤを用いた認証要求を受けて前記認証処理部が認証を行った後、前記差出拠点ＢＯＸに向けて送出される開錠指示情報が当該拠点ＢＯＸ管理部により作成される請求項１〜５のいずれか一項記載の完全非対面物流システム。
【請求項７】
前記物品受取人が使用する物品受取人端末から前記受取拠点ＢＯＸを特定する情報を受けたときに、前記拠点ＢＯＸ管理部により、前記受取拠点ＢＯＸに関する情報が前記取引ＩＤに関連付けられて前記記憶部に登録される
請求項６記載の完全非対面物流システム。
【請求項８】
前記認証処理部が、前記受取拠点ＢＯＸから前記取引ＩＤを用いた認証要求を受けて認証を行った後に、前記拠点ＢＯＸ管理部により、前記受取拠点ＢＯＸに向けて開錠指示情報が送出される請求項６又は７記載の完全非対面物流システム。
【請求項９】
前記物品受取人が使用する物品受取人端末に対して、利用可能な複数の前記拠点ＢＯＸに関する情報を提供し、前記物品受取人が前記特定の物品を前記物品差出人から受け取るにあたって前記特定の物品を一時保管する受取拠点ＢＯＸを選択するように促す拠点ＢＯＸ情報提供処理部を更に備えている
請求項１〜８のいずれか一項記載の完全非対面物流システム。
【請求項１０】
前記拠点ＢＯＸ情報提供処理部は、前記物品差出人が使用する物品差出人端末に対して、利用可能な複数の前記拠点ＢＯＸに関する情報を提供し、前記物品差出人が前記特定の物品を前記物品受取人へ送付するにあたって前記特定の物品を一時保管する差出拠点ＢＯＸを選択するように促す
請求項９記載の完全非対面物流システム。
【請求項１１】
物流費算出処理部を更に備えており、
前記受取拠点ＢＯＸから前記取引ＩＤを取得して前記認証処理部が行う認証が第二回目以降の認証処理であって、当該認証処理により第二回目以降の開錠指示情報を送出する場合に、
前記開錠指示情報を送出する前に、物流費算出処理部が算出した物流費に関する情報が前記受取拠点ＢＯＸに送出され、
前記受取拠点ＢＯＸから当該物流費が決済された旨の情報を受け取った後に前記第二回目以降の開錠指示情報が送出されるようにする
請求項１〜１０のいずれか一項記載の完全非対面物流システム。
【請求項１２】
物流費算出処理部が算出する前記物流費には、前記差出拠点ＢＯＸから施錠情報を取得した時点から、前記受取拠点ＢＯＸから前記取引ＩＤを取得して行う前記第二回目以降の認証処理までの時間を計測し、当該計測した時間に対応させて算出された使用時間対応料金が含まれている
請求項１１記載の完全非対面物流システム。
【請求項１３】
物流費算出処理部が算出する前記物流費には、前記差出拠点ＢＯＸと前記受取拠点ＢＯＸとの間の距離に対応させて算出された使用距離対応料金が含まれている
請求項１１又は１２記載の完全非対面物流システム。
【請求項１４】
物流費算出処理部を更に備えており、
当該物流費算出部が算出する前記物流費には、前記特定の物品を前記差出拠点ＢＯＸに一時保管し、前記特定の物品を前記差出拠点ＢＯＸから前記受取拠点ＢＯＸへ移送し、前記特定の物品を前記受取拠点ＢＯＸに一時保管するのに必要な基本料金が含まれ、
前記差出拠点ＢＯＸから前記取引ＩＤを取得して前記認証処理部が行う認証が第一回目の認証処理であって、当該認証処理により第一回目の開錠情報を送出する場合に、
前記開錠情報を送出する前に、前記物流費算出処理部が算出した前記基本料金に関する情報が前記差出拠点ＢＯＸに送出され、
前記差出拠点ＢＯＸから当該基本料金が決済された旨の情報を受け取った後に前記開錠情報が送出されるようにする
請求項１〜１０のいずれか一項記載の完全非対面物流システム。
【請求項１５】
前記受取拠点ＢＯＸから前記取引ＩＤを取得して前記認証処理部が行う認証が第二回目以降の認証処理であって、当該認証処理により第二回目以降の開錠指示情報を送出する場合に、前記開錠指示情報を送出する前に、物流費算出処理部が算出する物流費は、前記決済済の基本料金で賄われていなかった物流費である
請求項１４記載の完全非対面物流システム。
【請求項１６】
前記差出拠点ＢＯＸから一回目の施錠情報を取得した後に、前記物品差出人が使用する物品差出人端末及び／又は前記物品受取人が使用する物品受取端末に対して、前記差出拠点ＢＯＸに前記特定の物品が預入されたとの情報を通知する預入状態通知処理部
を更に備えている請求項１〜１５のいずれか一項記載の完全非対面物流システム。
【請求項１７】
前記預入状態通知処理部は、前記差出拠点ＢＯＸから二回目の施錠情報を取得した後に、前記物品差出人が使用する物品差出人端末及び／又は前記物品受取人が使用する物品受取端末に対して、前記差出拠点ＢＯＸから前記物流事業者によって前記特定の物品が取り出され、前記受取拠点ＢＯＸに向けた移送が開始されたとの情報を通知する
請求項１６記載の完全非対面物流システム。
【請求項１８】
前記預入状態通知処理部は、前記受取拠点ＢＯＸから一回目の施錠情報を取得した後に、前記物品差出人が使用する物品差出人端末及び／又は前記物品受取人が使用する物品受取端末に対して、前記受取拠点ＢＯＸに前記特定の物品が預入されたとの情報を通知する
請求項１７記載の完全非対面物流システム。
【請求項１９】
前記預入状態通知処理部は、前記受取拠点ＢＯＸから二回目の施錠情報を取得した後に、前記物品差出人が使用する物品差出人端末及び／又は前記物品受取人が使用する物品受取端末に対して、前記受取拠点ＢＯＸから前記物品受取人によって前記特定の物品が取り出されとの情報を通知する
請求項１８記載の完全非対面物流システム。
【発明の詳細な説明】
【技術分野】
【０００１】
この発明は、物流システムに関し、特に、荷物の発送・受取に際し差出人及び受取人の住所、氏名などに関する個人情報を必要とせず、また、完全非対面で行われる物流システムに関する。
【背景技術】
【０００２】
インターネットを利用した個人間での商品取引(Ｃ２Ｃ（Ｃｏｎｓｕｍｅｒ  ｔｏ  Ｃｏｎｓｕｍｅｒ）)等の増加に伴い、小型の荷物が増加の傾向にある。個人間での商品取引を行う差出人及び受取人は、例えば、図８に示すような既存の物流システムを利用して、取引に係る荷物を発送し、受け取る。【０００３】
図８図示の既存の物流システムにおいて、差出人は、物流事業者の窓口、コンビニエンスストア、宅配ＢＯＸ等の発送手段を選択して荷物を受取人に発送する。受取人は自宅、物流事業者の窓口、コンビニエンスストア、宅配ＢＯＸ等で荷物を受け取る。【０００４】
図８（ａ）図示の物流システムでは、差出人は、荷物を発送する際に差出人及び受取人の住所、氏名などの情報を記載することが一般的である。また、宅配ＢＯＸ以外では、発送を担当する者に対面形式で荷物を預けなければならない。受取人は、宅配ＢＯＸ以外では、上述した場所で、荷物を預かる者から対面形式で荷物を受け取らなければならない。【０００５】
図８（ｂ）図示の物流システムでも、差出人は、荷物を発送する際に差出人及び受取人の住所、氏名などの情報を記載することが一般的であり、発送を担当する者に対面形式で荷物を預けなければならない。また、受取人は、荷物を預かる者から対面形式で荷物を受け取らなければならない。
【先行技術文献】
【特許文献】
【０００６】
【特許文献１】特開２００８−１５７６７号公報
【特許文献２】特開２０１２−１２１７７号公報
【特許文献３】特開２０１２−７１９１２号公報
【発明の概要】
【発明が解決しようとする課題】
【０００７】
上述の個人間での商品取引等に利用される既存の物流システムでは、下記の様な課題が発生し、改善が望まれている。【０００８】
（物流面の課題）
受取人不在に基づく再配送による物流コストの増加
ＣＯ２排出量の増加
（個人間取引利用者の課題）
取引を行う個人間で、受取人が差出人へ受取人の住所、氏名などの個人情報（配送先情報）を開示しなければならない不安感
差出人が物流事業者に荷物の発送を依頼するにあたり、差出人や受取人の住所、氏名などの個人情報（配送元情報、配送先情報）を開示しなければならないという不安感
Ｂ２Ｃ（Ｂｕｓｉｎｅｓｓ  ｔｏ  Ｃｏｎｓｕｍｅｒ）モデルと違い、高い送料が発生することがある。また、インターネットによるオークション等における落札、購入を成立させるために、送料の交渉を出品者と購入者との間で行う必要が生じることもある。  
荷物の受渡し、受取を物流事業者と対面で行うことへの不安感
特に、個人間の取引では、差出人及び受取人の氏名、住所などの個人情報を開示することや、対面形式での荷物の差出及び受取を避けたいという心理的傾向がある。【０００９】
そこで、この発明は、差出人及び受取人の住所、氏名などの個人情報を必要とせず、非対面形式での荷物の差出及び受取を可能とする完全非対面物流システムを提供することを目的としている。
【課題を解決するための手段】
【００１０】
上記課題を解決するため、以下の発明を提案する。【００１１】
請求項１の発明は、
ネットワークに接続されているコンピュータからなり、
記憶部を備えていて、当該記憶部に、特定の物品を差し出す物品差出人と、当該特定の物品を受け取る物品受取人との間に成立した特定の取引を特定する取引ＩＤが登録され、更に、
前記取引ＩＤを用いた認証要求を受けた際に認証処理を行う認証処理部と、
前記物品差出人が前記特定の物品を前記物品受取人へ送付するにあたって前記特定の物品を一時保管する拠点ＢＯＸである差出拠点ＢＯＸから前記取引ＩＤを用いた認証要求を受け、前記物品受取人が前記送付される前記特定の物品を受け取るにあたって前記特定の物品を一時保管する拠点ＢＯＸである受取拠点ＢＯＸを特定する情報を受けた後に、物流事業者が使用する物流事業者端末に対して、前記差出拠点ＢＯＸから前記特定の物品を取り出して前記受取拠点ＢＯＸへ移送し、前記受取拠点ＢＯＸへ前記特定の物品の一時保管を行うように物品移送指示情報を出す物品移送指示情報作成処理部と
を備えている完全非対面物流システムである。【００１２】
請求項３の発明は、
ネットワークに接続されているコンピュータからなり、
記憶部と、
特定の物品を差し出す物品差出人と、当該特定の物品を受け取る物品受取人との間に成立した特定の取引を特定する取引ＩＤを発行するＩＤ発行処理部と、
前記取引ＩＤを用いた認証要求を受けた際に認証処理を行う認証処理部と、
前記物品差出人が前記特定の物品を前記物品受取人へ送付するにあたって前記特定の物品を一時保管する拠点ＢＯＸである差出拠点ＢＯＸから前記取引ＩＤを用いた認証要求を受け、前記物品受取人が前記送付される前記特定の物品を受け取るにあたって前記特定の物品を一時保管する拠点ＢＯＸである受取拠点ＢＯＸを特定する情報を受けた後に、物流事業者が使用する物流事業者端末に対して、前記差出拠点ＢＯＸから前記特定の物品を取り出して前記受取拠点ＢＯＸへ移送し、前記受取拠点ＢＯＸへ前記特定の物品の一時保管を行うように物品移送指示情報を出す物品移送指示情報作成処理部と
を備えている完全非対面物流システムである。
【発明の効果】
【００１３】
この発明によれば、差出人及び受取人の住所、氏名などの個人情報を必要とせず、非対面形式での荷物の差出及び受取を可能とする完全非対面物流システムを提供することができる。
【図面の簡単な説明】
【００１４】
【図１】本発明に係る物流システムの構成の一例を表した図である。
【図２】図１図示のサーバ装置の構成の一例を表した図である。
【図３】（ａ）取引情報ＤＢに記憶される情報の一例を表した図である。（ｂ）拠点ＢＯＸＤＢに記憶される情報の一例を表した図である。（ｃ）物流費ＤＢに記憶される情報の一例を表した図である。
【図４】本発明に係る物流システムにおける物流費の一例を表す概念図である。
【図５】本発明に係る物流システムにおける荷物の差出段階を表すフロー図の一例である。
【図６】本発明に係る物流システムにおける荷物の配送段階を表すフロー図の一例である。
【図７】本発明に係る物流システムにおける荷物の受取段階を表すフロー図の一例である。
【図８】（ａ）、（ｂ）共に既存の物流システムを表す図である。
【発明を実施するための形態】
【００１５】
以下、添付図面を参照して、本発明の実施形態の一例を説明する。
【００１６】
１．本発明の構成
図１に例示する本発明の完全非対面物流システム１は、本発明に係る完全非対面の物流サービスを提供するサービス提供者が、インターネット、等のネットワーク上にサーバ装置２を設置して構成するものになっている。
【００１７】
前記サービス提供者は、複数の所定の箇所に配置されている複数の拠点ＢＯＸ３と、サーバ装置２とを、インターネット通信網などの通信ネットワーク８ａを介して相互に接続可能にして本発明に係る物流サービスを提供する。
【００１８】
拠点ＢＯＸ３は「荷物の一時預かりＢＯＸ」である。前記サービス提供者が提供する本発明に係る完全非対面の物流サービスを利用する物品差出人、物品受取人は、図１に符号９で例示されている特定の物品を差出し、受取る際の「荷物の一時預かりＢＯＸ」として拠点ＢＯＸ３を利用する。
【００１９】
拠点ＢＯＸ３は、例えば、コンビニエンスストア、駅など、物品差出人や物品受取人が利用しやすい場所に設置される。また、駅などに配備される、いわゆるコインロッカーが拠点ＢＯＸ３として使用されることもある。
【００２０】
各拠点ＢＯＸ３は、図１に例示されているように、情報送受信部３ａ、制御部３ｂ、表示部３ｃ、操作部３ｄ、収納部３ｅ、施錠管理部３ｆを備えている。
【００２１】
各拠点ＢＯＸ３は、情報送受信部３ａにより、サーバ装置２との間で、インターネット通信網などの通信ネットワーク８ａを介した情報通信を行う。操作パネルなどからなる、表示部３ｃ、操作部３ｄにより、情報出力、情報入力受付が行われる。収納部３ｅは、荷物９を収容・一時保管する所定の容量を備えた施錠・解錠可能な収納部である。施錠管理部３ｆにより収納部３ｅの施錠が管理される。
【００２２】
施錠管理部３ｆは、後述するように、インターネット通信網などの通信ネットワーク８ａを介して一回目の開錠指示情報を取得した際に当該指示に基づいて収納部３ｅを開錠する。
【００２３】
また、開錠後、当該開錠した収納部３ｅに荷物９が収容される、等して、施錠が行われた時には、施錠管理部３ｆは、一回目の施錠情報を作成して、インターネット通信網などの通信ネットワーク８ａを介して当該一回目の施錠情報を送信する。
【００２４】
更に、施錠管理部３ｆは、後述するように、インターネット通信網などの通信ネットワーク８ａを介して二回目の開錠指示情報を取得した際に当該指示に基づいて収納部３ｅを開錠する。
【００２５】
また、開錠後、当該開錠した収納部３ｅから荷物９が取り出される、等して、施錠が行われた時には、施錠管理部３ｆは、二回目の施錠情報を作成して、インターネット通信網などの通信ネットワーク８ａを介して当該二回目の施錠情報を送信する。
【００２６】
各拠点ＢＯＸ３が備えている制御部３ｂによって上述した各部の情報処理が制御される。
【００２７】
図１図示の実施形態では、前記サービス提供者が提供する本発明に係る完全非対面の物流サービスを利用する物品差出人は、コンピュータや、携帯端末などからなる差出人端末４を用い、インターネット通信網、無線通信規格で定められている無線通信網などの通信ネットワーク８ｂを介して本発明の完全非対面物流システム１との間で相互に情報交信可能になっている。
【００２８】
同様に、前記サービス提供者が提供する本発明に係る完全非対面の物流サービスを利用する物品受取人は、コンピュータや、携帯端末などからなる受取人端末５を用い、インターネット通信網、無線通信規格で定められている無線通信網などの通信ネットワーク８ｂを介して本発明の完全非対面物流システム１との間で相互に情報交信可能になっている。
【００２９】
図１中、コマース事業者端末６は、前記サービス提供者が提供する本発明に係る完全非対面の物流サービスを利用するコマース事業者が使用するコンピュータ、等からなる端末である。図示の例では、コマース事業者端末６とサーバ装置２とがインターネット通信網などの通信ネットワーク８ａを介して相互に接続可能になっている。
【００３０】
コマース事業者は、インターネットなどのネットワークを利用した個人と個人との間、等における商品取引を仲介する事業者、あるいは、そのような個人、等の間の商品取引の場をネットワーク上に提供する事業者である。ネットワーク上で、参加者同士の間でオークションが行われるオークションサイトを提供する事業者なども、コマース事業者に含まれる。
【００３１】
図１中、物流事業者端末７は、物流事業者が使用するコンピュータ、等からなる端末である。図示の例では、物流事業者端末７とサーバ装置２とがインターネット通信網などの通信ネットワーク８ａを介して相互に接続可能になっている。
【００３２】
物流事業者は、通信ネットワーク８ａ、物流事業者端末７を介して前記サービス提供者から受けた依頼・指示により、荷物９の移送を行う。具体的には、後述するように、物品差出人が特定の物品（例えば、荷物９）を物品受取人へ送付するにあたって当該特定の物品（荷物９）を一時保管する拠点ＢＯＸ３である差出拠点ＢＯＸから、物品受取人が前記送付される前記特定の物品（荷物９）を受け取るにあたって前記特定の物品（荷物９）を一時保管する拠点ＢＯＸ３である受取拠点ＢＯＸへ前記特定の物品（荷物９）を移送する。
【００３３】
２．サーバ装置の構成
（１）サーバ装置２は、図２に例示されている構成では、情報送受信部１０、ＩＤ発行処理部１２、認証処理部１３、拠点ＢＯＸ管理部１４、物品移送管理部１５、物流費算出処理部１６、記憶部１７、これら各部の情報処理を制御する制御部１１を備えている。
【００３４】
（２）情報送受信部１０は、拠点ＢＯＸ３、差出人端末４、受取人端末５、コマース事業者端末６、物流事業者端末７との間で、インターネット通信網などの通信ネットワークを介して、情報通信を行う。
【００３５】
（３）ＩＤ発行処理部１２は、特定の物品である荷物９を差し出す物品差出人と、荷物９を受け取る物品受取人との間に成立した特定の取引を特定する取引ＩＤを発行する処理を行う。
【００３６】
ＩＤ発行処理部１２が取引ＩＤを発行する典型的な例は、コマース事業者端末６から、特定の物品である荷物９を差し出す物品差出人と、荷物９を受け取る物品受取人との間に成立した特定の取引を特定する情報が提供され、当該情報に対応させて、当該特定の取引を特定する取引ＩＤを発行するものである。
【００３７】
発行された取引ＩＤは、前記コマース事業者端末６から提供された、特定の物品である荷物９を差し出す物品差出人と、荷物９を受け取る物品受取人との間に成立した特定の取引を特定する情報に関連付けられて、記憶部１７の取引情報データベース（以下、データベースを「ＤＢ」という）１７ａに登録される。
【００３８】
また、この場合、サーバ装置２の情報送受信部１０を介して、当該発行された取引ＩＤが、取引ＩＤ発行を要請してきた前記コマース事業者端末６通知される。コマース事業者は、コマース事業者端末６を介して、発行を受けた前記取引ＩＤを、前記荷物９についての前記特定の取引を成立させた物品差出人の物品差出人端末４、物品受取人の物品受取人端末５へ通知する。
【００３９】
コマース事業者端末６から、特定の物品である荷物９を差し出す物品差出人と、荷物９を受け取る物品受取人との間に成立した特定の取引を特定する情報が提供された際に、前記荷物９を受け取る特定の取引を成立させた物品差出人の物品差出人端末４、物品受取人の物品受取人端末５への情報提供用の情報（例えば、Ｅ−ｍａｉｌアドレスや、特定のアプリケーションソフトを利用した情報送受信に利用できる物品差出人の物品差出人ＩＤ、物品受取人の物品受取人ＩＤ、など）をもサーバ装置１２が受取っていた場合、当該情報を用いて、サーバ装置２から、発行された取引ＩＤが、物品差出人端末４、物品受取人端末５へ通知されることもある。
【００４０】
この場合も、サーバ装置２から、前記発行された取引ＩＤが、取引ＩＤ発行を要請してきた前記コマース事業者端末６へ通知されるが、コマース事業者（コマース事業者端末６）から、前記荷物９を受け取る特定の取引を成立させた物品差出人の物品差出人端末４、物品受取人の物品受取人端末５への前記取引ＩＤの通知は不要になる。
【００４１】
また、この場合、記憶部１７の取引情報ＤＢ１７ａに登録される取引ＩＤには、更に、物品差出人端末４、物品受取人端末５への情報提供用の情報（例えば、Ｅ−ｍａｉｌアドレスや、特定のアプリケーションソフトを利用した情報送受信に利用できる物品差出人の物品差出人ＩＤ、物品受取人の物品受取人ＩＤ、など）が関連付けされて一緒に登録される。
【００４２】
前記物品差出人ＩＤ、前記物品受取人ＩＤは、例えば、前記コマース事業者が開設するＳＮＳ（Ｓｏｃｉａｌ  Ｎｅｔｗｏｒｋｉｎｇ  Ｓｅｒｖｉｃｅ）、取引サイト等を利用する際に前記物品差出人と前記物品受取人にそれぞれ付与されるＩＤにすることができる。
【００４３】
ＩＤ発行処理部１２が取引ＩＤを発行する他の例としては、前記物品差出人と前記物品受取人との間の前記特定の取引が成立した後、前記物品差出人又は前記物品受取人が本発明の完全非対面物流システム１を構成するサーバ装置２にアクセスしてきて発行要請することにより、発行されるものがある。
【００４４】
例えば、前記物品差出人と前記物品受取人との間の前記特定の取引が成立した後、前記物品差出人又は前記物品受取人が、差出人端末４又は受取人端末５を使用して前記サービス提供者が提供する本発明の完全非対面物流システム１のウェブサイトへアクセスし、又は完全非対面物流システム１が提供する物流サービスについてのアプリケーションを起動し、サーバ２に前記取引ＩＤの発行を要求することによって発行されるものである。
【００４５】
この場合、ＩＤ発行処理部１２は、差出人端末４又は受取人端末５から、特定の物品である荷物９を差し出す物品差出人と、荷物９を受け取る物品受取人との間に成立した特定の取引を特定する情報の提供を受け、当該情報に対応させて、当該特定の取引を特定する取引ＩＤを発行する。
【００４６】
発行された取引ＩＤは、前記差出人端末４又は受取人端末５から取得した、特定の物品である荷物９を差し出す物品差出人と、荷物９を受け取る物品受取人との間に成立した特定の取引を特定する情報に関連付けられて、記憶部１７の取引情報ＤＢ１７ａに登録される。
【００４７】
この場合、ＩＤ発行処理部１２では、アクセスしてきた差出人端末４又は受取人端末５から、物品差出人端末４、物品受取人端末５への情報提供用の情報（例えば、Ｅ−ｍａｉｌアドレスや、特定のアプリケーションソフトを利用した情報送受信に利用できる物品差出人の物品差出人ＩＤ、物品受取人の物品受取人ＩＤ、など）を取得して、発行した取引ＩＤに関連付けて記憶部１７の取引情報ＤＢ１７ａに登録する。
【００４８】
また、差出人端末４又は受取人端末５へ、発行した取引ＩＤを通知する。
【００４９】
なお、ＩＤ発行処理部１２が、更に、前記物品差出人を特定する物品差出人ＩＤと、前記物品受取人を特定する物品受取人ＩＤとをそれぞれ前記取引ＩＤに関連付けて発行する形態にすることもできる。
【００５０】
以上に説明した処理を行うＩＤ発行処理部１２と同様の機能を行うＩＤ発行処理部がコマース事業者端末６に配備されている形態にすることもできる。すなわち、前記取引が成立した際に、前記コマース事業者がコマース事業者端末６を使用して前記取引ＩＤを発行し、差出人端末４及び受取人端末５と、サーバ装置２に送信するものである。
【００５１】
この場合、前記サービス提供者が提供する本発明の完全非対面物流システム１のサーバ装置２は、コマース事業者端末６のＩＤ発行処理部が発行した取引ＩＤを、コマース事業者端末６から取得し、記憶部１７の取引情報ＤＢ１７ａに登録する。この際、コマース事業者端末６から、物品差出人端末４、物品受取人端末５への情報提供用の情報（例えば、Ｅ−ｍａｉｌアドレスや、特定のアプリケーションソフトを利用した情報送受信に利用できる物品差出人の物品差出人ＩＤ、物品受取人の物品受取人ＩＤ、など）も取得して、これらを関連付け一緒に登録するようにできる。
【００５２】
上述した取引ＩＤには、前記物品差出人の住所、氏名などの個人情報、前記物品受取人の住所、氏名などの個人情報は含まれない。そこで、本発明の完全非対面物流システム１により前記サービス提供者が提供する物流システムでは、物品差出人の住所、氏名などの個人情報、物品受取人の住所、氏名などの個人情報は、いずれも不要である。
【００５３】
また、上述したような物品差出人ＩＤ、物品受取人ＩＤが利用されるようになる場合にも、物品差出人ＩＤ、物品受取人ＩＤが特定のアプリケーションソフトを利用した情報送受信に利用できる物品差出人の物品差出人ＩＤ、物品受取人の物品受取人ＩＤである場合には、物品差出人の住所、氏名などの個人情報、物品受取人の住所、氏名などの個人情報は、いずれも不要である。
【００５４】
そこで、いずれにしても、本発明の完全非対面物流システム１により前記サービス提供者が提供する物流システムでは、物品差出人の住所、氏名などの個人情報、物品受取人の住所、氏名などの個人情報は不要である。
【００５５】
（４）認証処理部１３は、サーバ装置２が、インターネット通信網などの通信ネットワークを介して前記取引ＩＤを用いた認証要求を受けた際に認証処理を行う。前記認証要求の態様を例示すると以下のとおりである。
【００５６】
（ａ）物品受取人が使用する物品受取人端末５から受ける取引ＩＤを用いた認証要求
（ｂ）物品差出人が使用する物品差出人端末４から受ける取引ＩＤを用いた認証要求
（ｃ）後述する差出拠点ＢＯＸから受ける取引ＩＤを用いた認証要求
（ｄ）後述する受取拠点ＢＯＸから受ける取引ＩＤを用いた認証要求
【００５７】
認証処理部１３は、更に、前記物品差出人ＩＤ又は前記物品受取人ＩＤを用いた認証要求をインターネット通信網などの通信ネットワークを介して受けた際にそれぞれ認証処理を行うこともできる。
【００５８】
（５）拠点ＢＯＸ管理部１４は、拠点ＢＯＸ情報提供処理部１４ａ及び開錠指示情報作成処理部１４ｂとを備えている。
【００５９】
（６）物品移送管理部１５は、預入状態通知処理部１５ａ及び物品移送指示情報作成処理部１５ｂとを備えている。
【００６０】
（７）預入状態通知処理部１５ａは、荷物９が前記差出拠点ＢＯＸに預入状態であるとの所定の情報を差出人端末４及び／又は受取人端末５に通知する処理を行う。これにより、前記物品受取人は、前記物品差出人が荷物９を前記差出拠点ＢＯＸに預けたことを知ることになる。
【００６１】
（８）拠点ＢＯＸ情報提供処理部１４ａは、サーバ装置２が、インターネット通信網などの通信ネットワークを介して、利用可能な複数の拠点ＢＯＸ３に関する拠点ＢＯＸ情報を提供するように要請する指示を受けた際に、利用可能な複数の拠点ＢＯＸ３に関する拠点ＢＯＸ情報を提供する処理を行う。
【００６２】
例えば、受取人端末５から、当該受取人端末５を利用している物品受取人が利用可能な複数の拠点ＢＯＸ３に関する拠点ＢＯＸ情報を提供するよう要請を受けた場合である。この場合には、当該受取人端末５に対して、利用可能な複数の拠点ＢＯＸ３に関する拠点ＢＯＸ情報を提供する。また、当該受取人端末５に対して、前記物品受取人が荷物９を受け取るにあたって荷物９を一時保管する拠点ＢＯＸを受取拠点ＢＯＸとして選択するように前記物品受取人に対して促す処理を行う。
【００６３】
また、差出人端末４から、当該差出人端末４を利用している物品差出人が利用可能な複数の拠点ＢＯＸ３に関する拠点ＢＯＸ情報を提供するよう要請を受けた場合である。この場合には、当該差出人端末４に対して、利用可能な複数の拠点ＢＯＸ３に関する拠点ＢＯＸ情報を提供する。また、当該差出人端末４に対して、前記物品差出人が荷物９を差し出すにあたって荷物９を一時保管する拠点ＢＯＸを差出拠点ＢＯＸとして選択するように前記物品差出人に対して促す処理を行う。
【００６４】
前記拠点ＢＯＸ情報は、記憶部１７の拠点ＢＯＸＤＢ１７ｂに記憶されている図３（ｂ）図示のような情報に基づいて所定の閲覧情報が差出人端末４、受取人端末５に送信される。
【００６５】
拠点ＢＯＸ情報提供処理部１４ａは、差出人端末４、受取人端末５から、差出人、受取人による選択が行われて一時保管する拠点ＢＯＸとして選択された差出拠点ＢＯＸ、受取拠点ＢＯＸに関する情報を、当該差出人、受取人の間に成立している前記取引を特定する取引ＩＤに関連付けて、記憶部１７の取引情報ＤＢ１７ａに記録する。
【００６６】
（９）開錠指示情報作成処理部１４ｂは、認証処理部１３が前記差出拠点ＢＯＸあるいは、前記受取拠点ＢＯＸから、前記取引ＩＤを用いた一回目の認証要求を受けて前記認証処理を行った後、前記差出拠点ＢＯＸあるいは前記受取拠点ＢＯＸの収納部３ｅを開錠する一回目の開錠指示情報を前記差出拠点ＢＯＸあるいは前記受取拠点ＢＯＸに送信する処理を行う。
【００６７】
なお、ここで、事前に、前述したような差出拠点ＢＯＸの選択が行われていない場合、物品差出人が最寄りの拠点ＢＯＸの操作部３ｄを操作して、取引ＩＤを送信して認証要求してくる際に、当該認証要求が行われている拠点ＢＯＸ情報をサーバ装置２の拠点ＢＯＸ管理部１４が取得して、差出人が利用開始した当該拠点ＢＯＸを差出人によって選択された差出拠点ＢＯＸに関する情報とし、当該差出人に係る前記取引を特定する取引ＩＤに関連付けて、記憶部１７の取引情報ＤＢ１７ａに記録する。
【００６８】
差出拠点ＢＯＸ、受取拠点ＢＯＸの施錠管理部３ｆは、前述したように、一回目の開錠指示情報を取得すると、当該指示に基づいて差出拠点ＢＯＸ、受取拠点ＢＯＸの収納部３ｅを開錠する。
【００６９】
また、一回目の開錠指示情報に基づく開錠後、当該開錠した収納部３ｅに荷物９が収容される、等して、施錠が行われた時には、施錠管理部３ｆは、一回目の施錠情報を作成して、インターネット通信網などの通信ネットワーク８ａを介して当該した一回目の施錠情報を送信する。
【００７０】
なお、認証処理部１３が、前記受取拠点ＢＯＸから、前記取引ＩＤを用いた一回目の認証要求を受けて前記認証処理を行う際には、当該認証要求が送信されてきた拠点ＢＯＸ３に関する情報が、前述したように、事前に物品受取人によって選択され、記憶部１７の取引情報ＤＢ１７ａに前記取引ＩＤに関連付けて記録されている受取拠点ＢＯＸに関する情報に対応していることの認証も行われる。
【００７１】
開錠指示情報作成処理部１４ｂは、前記一回目の開錠指示情報を前記差出拠点ＢＯＸあるいは前記受取拠点ＢＯＸに送信する処理を行った後、認証処理部１３が前記差出拠点ＢＯＸあるいは、前記受取拠点ＢＯＸから、前記取引ＩＤを用いた二回目の認証要求を受けて前記認証処理を行った後、前記差出拠点ＢＯＸあるいは前記受取拠点ＢＯＸの収納部３ｅを開錠する二回目の開錠指示情報を前記差出拠点ＢＯＸあるいは前記受取拠点ＢＯＸに送信する処理を行う。
【００７２】
差出拠点ＢＯＸ、受取拠点ＢＯＸの施錠管理部３ｆは、前述したように、二回目の開錠指示情報を取得すると、当該指示に基づいて差出拠点ＢＯＸ、受取拠点ＢＯＸの収納部３ｅを開錠する。
【００７３】
また、二回目の開錠指示情報に基づく開錠後、当該開錠した収納部３ｅから荷物９が取り出される、等して、施錠が行われた時には、施錠管理部３ｆは、二回目の施錠情報を作成して、インターネット通信網などの通信ネットワーク８ａを介して当該した二回目の施錠情報を送信する。
【００７４】
認証処理部１３が前述した一回目の開錠指示情報を前記差出拠点ＢＯＸへ送る前に、前記差出拠点ＢＯＸから受ける前記取引ＩＤを用いた一回目の認証要求は、一般的には、物品差出人が拠点ＢＯＸ３の操作部３ｄに入力して行う認証要求である。
【００７５】
サーバ装置２が前記差出拠点ＢＯＸから取得する一回目の施錠情報は、一般的には、物品差出人が荷物９を差出拠点ＢＯＸに一時預けしたことを示す情報になる。
【００７６】
認証処理部１３が前述した二回目の開錠指示情報を前記差出拠点ＢＯＸへ送る前に、前記差出拠点ＢＯＸから受ける前記取引ＩＤを用いた二回目の認証要求は、一般的には、後述する物流事業者が拠点ＢＯＸ３の操作部３ｄに入力して行う認証要求である。
【００７７】
サーバ装置２が前記差出拠点ＢＯＸから取得する二回目の施錠情報は、一般的には、後述する物流事業者が荷物９を差出拠点ＢＯＸから取り出して移送作業を開始したことを示す情報になる。
【００７８】
認証処理部１３が前述した一回目の開錠指示情報を前記受取拠点ＢＯＸへ送る前に、前記受取拠点ＢＯＸから受ける前記取引ＩＤを用いた一回目の認証要求は、一般的には、後述する物流事業者が拠点ＢＯＸ３の操作部３ｄに入力して行う認証要求である。
【００７９】
サーバ装置２が前記受取拠点ＢＯＸから取得する一回目の施錠情報は、一般的には、後述する物流事業者が荷物９を受取拠点ＢＯＸに一時預けしたことを示す情報になる。
【００８０】
認証処理部１３が前述した二回目の開錠指示情報を前記受取拠点ＢＯＸへ送る前に、前記受取拠点ＢＯＸから受ける前記取引ＩＤを用いた二回目の認証要求は、一般的には、物品受取人が拠点ＢＯＸ３の操作部３ｄに入力して行う認証要求である。
【００８１】
サーバ装置２が前記受取拠点ＢＯＸから取得する二回目の施錠情報は、一般的には、物品受取人が荷物９を受取拠点ＢＯＸから取り出して荷物９の受け取りが完了したことを示す情報になる。
【００８２】
（１０）物品移送指示情報作成処理部１５ｂは、上述した前記物品差出人が荷物９を前記物品受取人へ送付するにあたって荷物９を一時保管する前記差出拠点ＢＯＸから前記取引ＩＤを用いた認証要求を受け、上述した前記物品受取人が荷物９を受け取るにあたって荷物９を一時保管する拠点ＢＯＸである前記受取拠点ＢＯＸを特定する情報を受けた後に、物流事業者が使用する物流事業者端末７に対して、前記差出拠点ＢＯＸから荷物９を取り出して前記受取拠点ＢＯＸへ移送し、前記受取拠点ＢＯＸへ荷物９の一時保管を行うように物品移送指示情報を送信する処理を行う。
【００８３】
上述したように、差出拠点ＢＯＸから一回目の施錠情報を取得すると、差出拠点ＢＯＸに荷物９が物品差出人によって一時預けが行われたとサーバ装置２において認識できる。一方、物品受取人によって受取拠点ＢＯＸが選択されると、サーバ装置２におけるこれらの情報の取得はいずれも取引ＩＤに関連付けられている。
【００８４】
上述した前記物品差出人が荷物９を前記物品受取人へ送付するにあたって荷物９を一時保管する前記差出拠点ＢＯＸから前記取引ＩＤを用いた認証要求を受け、上述した前記物品受取人が荷物９を受け取るにあたって荷物９を一時保管する拠点ＢＯＸである前記受取拠点ＢＯＸを特定する情報を受けた後とはこのような状態である。そこで、この状態では、当該取引ＩＤに係る物品９の差出拠点ＢＯＸへの預け入れの完了、当該取引ＩＤに係る物品９を移送すべき受取拠点ＢＯＸの情報が記憶部１７の取引情報ＤＢ１７ａに記録されている。
【００８５】
そこで、物品移送指示情報作成処理部１５ｂは、取引ＩＤを手掛かりに物品９を取り出す拠点ＢＯＸに関する情報、物品９を移送していくべき受取拠点ＢＯＸに関する情報に、当該取引ＩＤに関する情報とを付帯させて、物流事業者端末７に対して、前記差出拠点ＢＯＸから荷物９を取り出して前記受取拠点ＢＯＸへ移送し、前記受取拠点ＢＯＸへ荷物９の一時保管を行うように物品移送指示情報を送信する処理を行う。
【００８６】
（１１）預入状態通知処理部１５ａは、前記差出拠点ＢＯＸから前記二回目の施錠情報を所得した後、前記差出拠点ＢＯＸから前記物流事業者によって荷物９が取り出され、前記受取拠点ＢＯＸに向けた移送が開始されたとの所定の情報を差出人端末４及び／又は受取人端末５に通知する処理を行う。
【００８７】
これにより、前記物品差出人及び／又は前記物品受取人は、前記物流事業者によって前記差出拠点ＢＯＸから前記受取拠点ＢＯＸへ荷物９の移送が開始されたことを知ることになる。
【００８８】
（１２）預入状態通知処理部１５ａは、前記受取拠点ＢＯＸから前記一回目の施錠情報を取得した後、荷物９が前記受取拠点ＢＯＸに預入状態であるとの所定の情報を差出人端末４及び／又は受取人端末５に通知する処理を行う。
【００８９】
これにより、前記物品差出人及び／又は前記物品受取人は、前記物流事業者が荷物９を前記受取拠点ＢＯＸへ移送したことを知ることになる。
【００９０】
（１３）預入状態通知処理部１５ａは、前記受取拠点ＢＯＸから前記二回目の施錠情報を取得した後、荷物９が前記受取拠点ＢＯＸから前記物品受取人によって荷物９が取り出されたとの所定の情報を差出人端末４及び／又は受取人端末５に通知する処理を行う。
【００９１】
これにより、前記物品差出人は、前記物品受取人が荷物９を受け取ったことを知ることになる。
【００９２】
（１４）このような構成を備える本発明の完全非対面物流システム１では、物品差出人及び物品受取人は希望の拠点ＢＯＸを利用して荷物を出荷し、受取るので、従来物流システムのように物流事業者などの配送担当者と対面する必要がない。かつ、物品差出人から物品受取人へ配送される荷物に当該物品差出人及び物品受取人の氏名、住所などの個人情報を表示する必要もない。したがって、物品差出人及び物品受取人が物流事業者などの配送担当者と対面することがなく、また、当該物品差出人及び物品受取人の氏名、住所などの個人情報を知られることのない完全非対面の物流システムを提供することができる。
【００９３】
３．物流費
物流費算出処理部１６は、前記受取拠点ＢＯＸから前記取引ＩＤを取得して前記認証処理部が行う認証が第二回目以降の認証処理であって、当該認証処理により第二回目以降の前記開錠指示情報を作成する場合に、前記二回目の開錠指示情報を作成する前に、前記差出拠点ＢＯＸから前記受取拠点ＢＯＸへ荷物９を移送するのに要した物流費を算出する処理を行う。算出された物流費に関する情報は、前記受取拠点ＢＯＸに送信される。
【００９４】
物品受取人は、前記受取拠点ＢＯＸにて、表示部３ａに表示される前記物流費に関する情報に従って、表示部３ａに表示される指示に従って、当該物流費を支払う。
【００９５】
開錠指示情報作成処理部１４ｂは、上述した認証処理部１３が前記受取拠点ＢＯＸから前記取引ＩＤを用いた認証要求を受けて前記認証処理を行った後で、前記受取拠点ＢＯＸから前記物流費が決済された旨の情報を取得した後に、前記受取拠点ＢＯＸの収納部３ｅを開錠する前記二回目の開錠指示情報を前記受取拠点ＢＯＸに送信する処理を行う。
【００９６】
また、物流費算出処理部１６は、前記差出拠点ＢＯＸから前記取引ＩＤを取得して前記認証処理部が行う認証が第一回目の認証処理であって、当該認証処理により第一回目の開錠情報を作成する場合に、前記一回目の開錠情報を作成する前に、前記物流費に含まれる前記差出拠点ＢＯＸから前記受取拠点ＢＯＸへ荷物９を移送するのに要する基本料金を算出し、当該料金に関する情報を、前記差出拠点ＢＯＸに送信する処理を行うこともできる。
【００９７】
物品差出人は、前記差出拠点ＢＯＸにて、表示部３ａに表示される前記基本料金に関する情報に従って、表示部３ａに表示される指示に従って、当該基本料金を支払う。
【００９８】
この場合、開錠指示情報作成処理部１４ｂは、上述した認証処理部１３が前記差出拠点ＢＯＸから前記取引ＩＤを用いた認証要求を受けて前記認証処理を行った後で、前記差出拠点ＢＯＸから前記基本料金が決済された旨の情報を取得した後に、前記差出拠点ＢＯＸの収納部３ｅを開錠する前記一回目の開錠指示情報を前記差出拠点ＢＯＸに送信する処理を行う。
【００９９】
このように基本料金の決済が差出拠点ＢＯＸで行われている場合、物流費算出処理部１６が、前記受取拠点ＢＯＸから前記取引ＩＤを取得して第二回目以降の認証処理を行って、当該認証処理により第二回目以降の前記開錠指示情報を作成するときに、前記二回目の開錠指示情報を作成する前に行う算出する、前記差出拠点ＢＯＸから前記受取拠点ＢＯＸへ荷物９を移送するのに要した物流費については、決済済の基本料金で賄われていなかった物流費にすることができる。すなわち、基本料金で賄われる移送期間・時間（例えば、差出拠点ＢＯＸ、受取拠点ＢＯＸを使用できる時間）を越えた超過時間に対して費用請求する部分の料金のみを前記物流費として算出するようにできる。
【０１００】
物流費算出処理部１６は、図３（ｃ）図示の物流費ＤＢ１７ｃに記憶されている各種料金体系に関する情報に基づいて、図４図示の下記の料金を算出する。
【０１０１】
（１）基本料金
基本料金は、前記サービス提供者が提供する本発明に係る完全非対面の物流サービスを利用するのに必要な最低限の料金である。図４図示の基本料金１８に関する情報は前記サービス提供者によって予め定められ、物流費ＤＢ１７ｃに記憶されている。
【０１０２】
基本料金については、上述した前記物品差出人が、前記差出拠点ＢＯＸにて、表示部３ａに表示される前記基本料金に関する情報に従って支払い、決済を行う形態にすることができる。
【０１０３】
あるいは、前記基本料金を前記物流費に含め、上述した前記物品受取人が、前記受取拠点ＢＯＸにて、表示部３ａに表示される前記物流費に関する情報に従って、表示部３ａに表示される指示に従って、支払われる態様にすることもできる。
【０１０４】
さらには、前記基本料金を算出せず、後述する使用時間対応料金、使用距離対応料金を前記物流費に含める態様とすることもできる。
【０１０５】
（２）使用時間対応料金
使用時間対応料金は、前記差出拠点ＢＯＸから施錠情報を取得した時点から、前記受取拠点ＢＯＸから前記取引ＩＤを取得して行う二回目以降の認証時刻までの計測時間に対応させて算出される料金である。
【０１０６】
図４図示の使用時間対応料金１９は、前記差出拠点ＢＯＸからの前記一回目の施錠情報の取得時点から所定の経過時間までは一律に定められている。
【０１０７】
前記経過時間は、図３（ａ）図示の取引情報ＤＢ１７ａに記憶されている差出拠点ＢＯＸからの前記一回目の施錠情報の取得時刻及び受取拠点ＢＯＸにおける前記第二回目の認証処理時刻に基づいて計測される。
【０１０８】
また、前記使用時間対応料金には、前記差出拠点ＢＯＸからの前記一回目の施錠情報の取得時点から所定の経過時間を超えた場合に発生する単位時間あたりの時間従量料金である。
【０１０９】
使用時間対応料金は、上述した前記物品受取人が、前記受取拠点ＢＯＸにて、表示部３ａに表示される前記物流費に関する情報に従って、表示部３ａに表示される指示に従って、支払われる。
【０１１０】
（３）使用距離対応料金
使用距離対応料金は、前記差出拠点ＢＯＸと前記受取拠点ＢＯＸとの間の距離に対応させて算出される料金である。
【０１１１】
使用距離対応料金は、上述した前記物品受取人が、前記受取拠点ＢＯＸにて、表示部３ａに表示される前記物流費に関する情報に従って、表示部３ａに表示される指示に従って、支払われる。
【０１１２】
使用距離対応料金は、例えば、下記の料金体系に基づいて算出される。
【０１１３】
（ａ）同一拠点ＢＯＸ配送費
前記差出拠点ＢＯＸと前記受取拠点ＢＯＸとが同一の拠点ＢＯＸ３内に設定されている場合に発生する前記差出拠点ＢＯＸから前記受取拠点ＢＯＸへの荷物９の配送に要する料金である。図４では符号２０で表している。
【０１１４】
前記差出拠点ＢＯＸと前記受取拠点ＢＯＸとが同一の拠点ＢＯＸ３内に設定されている場合とは、同一の拠点ＢＯＸ３内で前記差出拠点ＢＯＸと前記受取拠点ＢＯＸとして設定されている収納部３ｅがそれぞれ異なる場合又は同一である場合をいう。
【０１１５】
なお、同一拠点ＢＯＸ配送費は、一定の金額に設定しておいてもよい。
【０１１６】
（ｂ）同一地区内配送費
前記差出拠点ＢＯＸと前記受取拠点ＢＯＸとが異なる拠点ＢＯＸであって、それぞれの拠点ＢＯＸ３が同一の地区内で異なる場所に設置されている場合に発生する前記差出拠点ＢＯＸから前記受取拠点ＢＯＸへの荷物９の配送に要する料金である。図４では符号２１で表している。
【０１１７】
一の拠点ＢＯＸ３と他の拠点ＢＯＸ３が同一の地区内であるか、異なる地区であるかは、図３（ｂ）図示の拠点ＢＯＸＤＢ１７ｂに記憶されている拠点ＢＯＸ３の設置エリアに関する情報によって判別される。
【０１１８】
同一地区内配送費２１は、図３（ｂ）図示の拠点ＢＯＸＤＢ１７ｂに記憶されている拠点ＢＯＸの位置情報に係る所在地に基づいて計算された前記差出拠点ＢＯＸと前記受取拠点ＢＯＸとの間の距離に対応させて算出される。
【０１１９】
（ｃ）地区間配送費
前記差出拠点ＢＯＸと前記受取拠点ＢＯＸとが異なる拠点ＢＯＸ３であって、それぞれの拠点ＢＯＸ３が異なる地区に設置されている場合に発生する前記差出拠点ＢＯＸから前記受取拠点ＢＯＸへの荷物９の配送に要する料金である。図４では符号２２で表している。
【０１２０】
地区間配送費２２は、図３（ｂ）図示の拠点ＢＯＸＤＢ１７ｂに記憶されている拠点ＢＯＸの位置情報に係る所在地に基づいて計算された前記差出拠点ＢＯＸと前記受取拠点ＢＯＸとの間の距離に対応させて算出される。
【０１２１】
（４）前記差出拠点ＢＯＸと前記受取拠点ＢＯＸとが同一の拠点ＢＯＸ３内に設定されている場合に発生する前記物流費は、前記基本料金及び／又は前記使用時間対応料金と、前記同一拠点ＢＯＸ配送費である。
【０１２２】
（５）前記差出拠点ＢＯＸと前記受取拠点ＢＯＸとが異なる拠点ＢＯＸ３であって、それぞれの拠点ＢＯＸ３が同一の地区内で異なる場所に設置されている場合に発生する前記物流費は、前記基本料金及び／又は前記使用時間対応料金と、前記同一地区内配送費である。
【０１２３】
（６）前記差出拠点ＢＯＸと前記受取拠点ＢＯＸとが異なる拠点ＢＯＸ３であって、それぞれの拠点ＢＯＸ３が異なる地区に設置されている場合に発生する前記物流費は、前記基本料金及び／又は前記使用時間対応料金と、前記地区間配送費である。
【０１２４】
４．本発明による処理フロー
本発明に係る完全非対面物流システム１の処理フローの一例を図５乃至図７を参照して説明する。
【０１２５】
（１）物品取引段階
特定の物品を差し出す物品差出人と、当該特定の物品を受け取る物品受取人との間に取引が成立する。
【０１２６】
例えば、特定の物品を出品した出品者（物品差出人）と、当該物品を落札した購入者（物品受取人）との間で、物品を送り・受け取る合意（契約）が成立する。
【０１２７】
このように成立した取引を特定する取引ＩＤを発行する態様の一例は以下のとおりである。
【０１２８】
（ａ−１）前記物品差出人と前記物品受取人との間の前記特定の取引が成立した後、前記物品差出人又は前記物品受取人からのアクセス、すなわち、差出人端末４又は受取人端末５を使用して前記サービス提供者が提供する本発明に係る物流サービスについてのウェブサイトへアクセスし、又は前記物流サービスについてのアプリケーションを起動し、サーバ２に前記取引ＩＤの取得を要求する。これに応じて、サーバ装置２のＩＤ発行処理部１２が取引ＩＤを発行する（Ｓ１０１〜Ｓ１０３）。
【０１２９】
（ａ−２）図５には図示していないが、物品差出人と物品受取人との間の前記特定の取引の成立が、オークションサイト、等を提供しているコマース事業者や、当該コマース事業者が提供しているウェブサイトなどを介して行われ、コマース事業者が使用しているコマース事業者端末６が前記ＩＤ発行処理部１２の機能を有するＩＤ発行処理部を備えている場合である。前記物品差出人と前記物品受取人との間の前記特定の取引が成立した後、コマース事業者端末６が前記取引ＩＤを発行し、差出人端末４及び受取人端末５と、サーバ装置２に送信する。
【０１３０】
（ａ−３）前記物品差出人と前記物品受取人との間の前記特定の取引が成立した後、コマース事業者端末６がサーバ装置２へ前記取引の成立を通知するとともに、前記取引ＩＤの発行を依頼する。これに基づいて、サーバ装置２のＩＤ発行処理部１２が取引ＩＤを発行し、コマース事業者端末６へ通知する。あるいは、コマース事業者端末６と差出人端末４及び受取人端末５に通知する。
【０１３１】
なお、いずれも場合においても、コマース事業者端末６、あるいは、サーバ装置２は、ＡＰＩ（Ａｐｐｌｉｃａｔｉｏｎ  Ｐｒｏｇｒａｍｍｉｎｇ  Ｉｎｔｅｒｆａｃｅ）にしたがって前記取引ＩＤを差出人端末４及び受取人端末５に送信することもできる（図示していない）。
【０１３２】
前記取引ＩＤは、例えば、テキスト、ＱＲコード（登録商標）等の形式で作成される。また、前記取引ＩＤは、前記物品差出人と前記物品受取人との間に成立した前記特定の取引を特定する情報に関連付けて、あるいは、更に、物品差出人端末４、物品受取人端末５への情報提供用の情報と関連付けされて取引情報ＤＢ１７ａに登録される（Ｓ１０４）。
【０１３３】
（２）物品差出段階
物品差出人が近所に存在している拠点ＢＯＸ３の存在を知っており、その近所の拠点ＢＯＸを利用して荷物９の発送を行おうと考えた場合、物品差出人は、近所の拠点ＢＯＸ３の操作部３ｄを操作して、取引ＩＤを完全非対面物流システム１に送信して認証要求を行う（Ｓ１０５）。
【０１３４】
この際に、サーバ装置２の拠点ＢＯＸ管理部１５によって、当該認証要求が行われている拠点ＢＯＸ（すなわち、物品差出人が利用開始した拠点ＢＯＸ）に関する情報が、当該取引ＩＤを使用する物品差出人によって選択された差出拠点ＢＯＸに関する情報とされ、当該差出人に係る前記取引を特定する取引ＩＤに関連付けて、記憶部１７の取引情報ＤＢ１７ａに記録される。
【０１３５】
一方、物品差出人が利用可能な拠点ＢＯＸ３に関する情報を持っていない場合、物品差出人は、荷物９を物品受取人へ送付するにあたって荷物９を一時保管する任意の拠点ＢＯＸ３を差出拠点ＢＯＸとして選択する。
【０１３６】
すなわち、差出人端末４から、当該差出人端末４を利用している物品差出人が利用可能な複数の拠点ＢＯＸ３に関する拠点ＢＯＸ情報を提供するよう完全非対面物流システム１に要請し、拠点ＢＯＸ情報提供処理部１４ａから、利用可能な複数の拠点ＢＯＸ３に関する拠点ＢＯＸ情報を取得する。同時に、取得した、物品差出人が荷物９を差し出すにあたって荷物９を一時保管する拠点ＢＯＸを差出拠点ＢＯＸとして選択する要請に応じて、選択を行う。
【０１３７】
この場合には、物品差出人によって、差出人端末４を介して選択された拠点ＢＯＸが、当該取引ＩＤを使用する物品差出人によって選択された差出拠点ＢＯＸに関する情報として、当該差出人に係る前記取引を特定する取引ＩＤに関連付けて、記憶部１７の取引情報ＤＢ１７ａに記録される。
【０１３８】
そして、物品差出人は、差出拠点ＢＯＸとして選択した拠点ＢＯＸ３にて表示部３ｃ及び操作部３ｄを使用して、取引ＩＤを入力する（Ｓ１０５）。
【０１３９】
認証処理部１３は、差出拠点ＢＯＸから取引ＩＤを用いた上述の一回目の認証要求を受けて一回目の認証処理を行う（Ｓ１０６）。
【０１４０】
前記一回目の認証処理が完了すると、開錠指示情報作成処理部１４ｂは、収納部３ｅを開錠する開錠指示情報を差出拠点ＢＯＸに送信する処理を行う。
【０１４１】
差出拠点ＢＯＸの施錠管理部３ｆは、前記開錠指示情報に基づいて、差出拠点ＢＯＸの収納部３ｅを開錠する（Ｓ１０７）。
【０１４２】
収納部３ｅに物品９が収納され、扉を閉じると、施錠管理部３ｆは当該収納部３ｅの一回目の施錠情報を作成し、サーバ装置２に送信する（Ｓ１０８）。
【０１４３】
サーバ装置２が一回目の施錠情報を取得した後、預入状態通知処理部１５ａは、荷物９が前記差出拠点ＢＯＸに預入状態であるとの所定の情報を差出人端末４及び／又は受取人端末５に通知する処理を行う（Ｓ１０９〜Ｓ１１１）。
【０１４４】
これにより、物品受取人は、物品差出人が荷物９を差出拠点ＢＯＸに預けたことを知ることになる。
【０１４５】
なお、サーバ装置２が一回目の施錠情報を取得した後、サーバ装置２がそれに対応する情報をコマース事業者端末６に送信し、これに応じて、コマース事業者端末６が、前記ＡＰＩにしたがって、荷物９が差出拠点ＢＯＸに預入状態であるとの所定の情報を差出人端末４及び／又は受取人端末５に送信することもできる（図示していない）。
【０１４６】
物流費算出処理部１６は、前記差出拠点ＢＯＸから前記一回目の施錠情報を取得した時点から、前記受取拠点ＢＯＸから前記取引ＩＤを取得して行う二回目以降の認証時刻までの時間を計測する（Ｓ１１２）。
【０１４７】
（３）物品受取先指定段階
前記物品受取人は、受取人端末５を使用して前記サービス提供者が提供する本発明に係る物流サービスについてのウェブサイトへアクセスし、又は前記物流サービスについてのアプリケーションを起動し、前記取引ＩＤを入力する（Ｓ１１３）。
【０１４８】
認証処理部１３は、受取人端末５から前記取引ＩＤを用いた認証要求を受けて認証処理を行う（Ｓ１１４）。
【０１４９】
前記認証処理が完了すると、拠点ＢＯＸ情報提供処理部１４ａは、受取人端末５に対して、利用可能な複数の拠点ＢＯＸ３に関する拠点ＢＯＸ情報を提供し、前記物品受取人が荷物９を受け取るにあたって荷物９を一時保管する拠点ＢＯＸを受取拠点ＢＯＸとして選択するように前記物品受取人に対して促す処理を行う（Ｓ１１５）。
【０１５０】
前記物品受取人は、受取人端末５を使用して、前記拠点ＢＯＸ情報の中から荷物９を受け取るにあたって荷物９を一時保管する拠点ＢＯＸ３を受取拠点ＢＯＸとして選択する（Ｓ１１６）。
【０１５１】
拠点ＢＯＸ管理部１４は、サーバ装置２が受取人端末５から取得した前記受取拠点ＢＯＸを特定する情報を前記取引ＩＤに関連付けて取引情報ＤＢ１７ａに登録する（Ｓ１１７）。
【０１５２】
物品移送指示情報作成処理部１５ｂは、物流事業者が使用する物流事業者端末７に対して、前記差出拠点ＢＯＸから荷物９を取り出して前記受取拠点ＢＯＸへ移送し、前記受取拠点ＢＯＸへ荷物９の一時保管を行うように物品移送指示情報を送信する処理を行う（Ｓ１１８、Ｓ１１９）。
【０１５３】
この物品移送指示情報作成処理部１５ｂによる、物流事業者端末７への物品移送指示情報の送信処理は、所定の取引ＩＤに係る物品９の差出拠点ＢＯＸへの預け入れの完了（第一回目の施錠情報のサーバ装置２での取得）、当該所定の取引ＩＤに係る物品９を物品受取人が受け取るための一時保管に利用する受取拠点ＢＯＸに関する情報のサーバ装置２での取得という上述した工程を経た後に行われる。
【０１５４】
すなわち、物品差出人が荷物９を物品受取人へ送付するにあたって荷物９を一時保管する差出拠点ＢＯＸから取引ＩＤを用いた認証要求をサーバ装置２が受け、物品受取人が荷物９を受け取るにあたって荷物９を一時保管する拠点ＢＯＸである受取拠点ＢＯＸを特定する情報をサーバ装置２が受けた後である。
【０１５５】
そこで、サーバ装置２の記憶部１７の取引情報ＤＢ１７ａには、取引ＩＤに係る物品９が一時預けされた差出拠点ＢＯＸの情報と、当該取引ＩＤに係る物品９を物品受取人が受け取るにあたって一時保管する拠点ＢＯＸである受取拠点ＢＯＸの情報とが、前記取引ＩＤに関連づけて記憶されている。
【０１５６】
そこで、物品移送指示情報作成処理部１５ｂが物流事業者端末７へ送信する物品移送指示情報には、前記取引ＩＤと、前記取引ＩＤに係る物品９が一時預けされた差出拠点ＢＯＸに関する情報と、前記取引ＩＤに係る物品９を物品受取人が受け取るにあたって一時保管する拠点ＢＯＸである受取拠点ＢＯＸに関する情報とが付帯されている。
【０１５７】
物流事業者端末７を使用している物流事業者は、これらの情報に従って、荷物９の移送を行う。
【０１５８】
なお、サーバ装置２から、前述した物品移送指示情報に含まれている情報がコマース事業者端末６に通知され、コマース事業者端末６がＡＰＩにしたがって前記情報を物流事業者端末７に送信することもできる（図示していない）。
【０１５９】
（４）物品配送段階
前記物流事業者は、前記物品移送指示情報に基づいて、前記差出拠点ＢＯＸに係る拠点ＢＯＸ３にて表示部３ｃ及び操作部３ｄを使用して前記取引ＩＤを入力する（２０１）。
【０１６０】
認証処理部１３は、前記差出拠点ＢＯＸから前記取引ＩＤを用いた認証要求を受けて認証処理を行う（Ｓ２０２）。これは、前記差出拠点ＢＯＸから受け取る、前記取引ＩＤを用いた二回目の認証要求になる。
【０１６１】
前記認証処理が完了すると、開錠指示情報作成処理部１４ｂは、前記差出拠点ＢＯＸの収納部３ｅを開錠する開錠指示情報を前記差出拠点ＢＯＸに送信する処理を行う。前記差出拠点ＢＯＸの施錠管理部３ｆは、前記開錠指示情報に基づいて、物品９が一時保管されている収納部３ｅを開錠する（Ｓ２０３）。
【０１６２】
収納部３ｅから物品９が取り出され、扉を閉じると、施錠管理部３ｆは当該収納部３ｅの二回目の施錠情報を作成し、サーバ装置２に送信する（Ｓ２０４）。
【０１６３】
預入状態通知処理部１５ａは、前記差出拠点ＢＯＸから前記二回目の施錠情報を所得した後、前記差出拠点ＢＯＸから前記物流事業者によって荷物９が取り出され、前記受取拠点ＢＯＸに向けた移送が開始されたとの所定の情報を差出人端末４及び／又は受取人端末５に通知する処理を行う（Ｓ２０５〜Ｓ２０７）。これにより、前記物品差出人及び前記物品受取人は、前記物流事業者によって前記差出拠点ＢＯＸから前記受取拠点ＢＯＸへ荷物９の移送が開始されたことを知ることになる。
【０１６４】
なお、コマース事業者端末６がＡＰＩにしたがって前記情報を差出人端末４及び受取人端末５に送信することもできる（図示していない）。
【０１６５】
前記物流事業者は、前記物品移送指示情報に基づいて、前記受取拠点ＢＯＸに係る拠点ＢＯＸ３にて表示部３ｃ及び操作部３ｄを使用して前記取引ＩＤを入力する（Ｓ２０８）。
【０１６６】
認証処理部１３は、前記受取拠点ＢＯＸから前記取引ＩＤを用いた認証要求を受けて認証処理を行う（Ｓ２０９）。これは、前記受取拠点ＢＯＸから受け取る、前記取引ＩＤを用いた一回目の認証要求、認証処理になる。
【０１６７】
前記認証処理が完了すると、開錠指示情報作成処理部１４ｂは、前記受取拠点ＢＯＸの収納部３ｅを開錠する一回目の開錠指示情報を前記受取拠点ＢＯＸに送信する処理を行う。前記受取拠点ＢＯＸの施錠管理部３ｆは、前記開錠指示情報に基づいて、収納部３ｅを開錠する（Ｓ２１０）。
【０１６８】
収納部３ｅに物品９が収納され、扉を閉じると、施錠管理部３ｆは前記受取拠点ＢＯＸの一回目の施錠情報を作成し、サーバ装置２に送信する（Ｓ２１１）。
【０１６９】
預入状態通知処理部１５ａは、前記受取拠点ＢＯＸから前記一回目の施錠情報を取得した後、荷物９が前記受取拠点ＢＯＸに預入状態であるとの所定の情報を差出人端末４及び／又は受取人端末５に通知する処理を行う（Ｓ２１２〜Ｓ２１４）。これにより、前記物品差出人及び前記物品受取人は、前記物流事業者が荷物９を前記受取拠点ＢＯＸへ移送したことを知ることになる。
【０１７０】
なお、コマース事業者端末６がＡＰＩにしたがって前記情報を差出人端末４及び受取人端末５に送信することもできる（図示していない）。
【０１７１】
（５）物品受取段階
前記物品受取人は、選択した前記受取拠点ＢＯＸに係る拠点ＢＯＸ３にて表示部３ｃ及び操作部３ｄを使用して前記取引ＩＤを入力する（Ｓ３０１）。
【０１７２】
認証処理部１３は、前記受取拠点ＢＯＸから前記取引ＩＤを用いた認証要求を受けて認証処理を行う（Ｓ３０２）。これは、前記受取拠点ＢＯＸから受け取る、前記取引ＩＤを用いた二回目の認証要求、認証処理になる。
【０１７３】
前記認証処理が完了すると、物流費算出処理部１６は、前記差出拠点ＢＯＸから前記受取拠点ＢＯＸへ荷物９を移送するのに要した物流費を算出する処理を行う（Ｓ３０３）。算出された物流費に関する情報は、前記受取拠点ＢＯＸに送信される（Ｓ３０４）。
【０１７４】
前記物品受取人は、前記受取拠点ＢＯＸにて、前記物流費に関する情報に従って当該物流費を支払う。
【０１７５】
開錠指示情報作成処理部１４ｂは、認証処理部１３が前記受取拠点ＢＯＸから前記取引ＩＤを用いた認証要求を受けて前記認証処理（すなわち、二回目の認証処理）を行った後、前記受取拠点ＢＯＸから前記物流費が決済された旨の情報を取得した後に（Ｓ３０５）、前記受取拠点ＢＯＸの収納部３ｅを開錠する二回目の開錠指示情報を前記差出拠点ＢＯＸに送信する処理を行う（Ｓ３０６）。前記差出拠点ＢＯＸの施錠管理部３ｆは、前記開錠指示情報に基づいて、物品９が一時保管されている収納部３ｅを開錠する。
【０１７６】
収納部３ｅから物品９が取り出され、扉を閉じると、施錠管理部３ｆは前記受取拠点ＢＯＸの二回目の施錠情報を作成し、サーバ装置２に送信する（Ｓ３０７）。
【０１７７】
預入状態通知処理部１５ａは、荷物９が前記受取拠点ＢＯＸから前記物品受取人によって荷物９が取り出されたとの所定の情報を差出人端末４及び／又は受取人端末５に通知する処理を行う（Ｓ３０８〜Ｓ３１０）。これにより、前記物品差出人は、前記物品受取人が荷物９を受け取ったことを知ることになる。
【０１７８】
なお、コマース事業者端末６がＡＰＩにしたがって前記情報を差出人端末４及び受取人端末５に送信することもできる（図示していない）。
【０１７９】
上述した実施形態では、拠点ＢＯＸ３の利用について、物品差出人と物品受取人が異なり、物品差出人が選択する差出拠点ＢＯＸと物品受取人が選択する受取拠点ＢＯＸが異なる態様について説明をしている。この他、以下の態様についても本発明に係る物流システムの実施は可能である。
【０１８０】
（ａ）物品差出人と物品受取人が異なり、差出拠点ＢＯＸと受取拠点ＢＯＸが同一となる態様
【０１８１】
この場合、上記（３）において、物品受取人は、受取人端末５を使用して、前記拠点ＢＯＸ情報の中から物品差出人が選択した差出拠点ＢＯＸを受取拠点ＢＯＸとして選択する。
【０１８２】
また、上記（３）において、物品移送指示情報作成処理部１５ｂは、前記差出拠点ＢＯＸと前記受取拠点ＢＯＸが同一であり、物品９の移送は不要であるとの物品移送指示情報を物流事業者端末７へ送信する。
【０１８３】
そこで、上記（４）の処理は省略され、前記物品受取人は、上記（４の預入状態通知処理部１５ａが受取人端末５に通知する、荷物９が前記差出拠点ＢＯＸに預入状態であるとの所定の情報に基づいて、上記（５）の処理にしたがって物品９を受け取る。
【０１８４】
（ｂ）物品差出人と物品受取人が同一で、差出拠点ＢＯＸと受取拠点ＢＯＸが異なる態様
【０１８５】
例えば、同一人が一の拠点ＢＯＸ３から自宅の近くに設置されている他の拠点ＢＯＸ３に手荷物等を移送する態様である。
【０１８６】
この場合、上記（２）の差出拠点ＢＯＸの選択は、物品差出人でもある物品受取人が行う。当該物品受取人は上記（５）の処理にしたがって物品９を受け取る。
【０１８７】
上記の他にも、本発明を、同一人が同一拠点ＢＯＸへ手荷物等を一時預かる有料のロッカーとして利用することができる。
【０１８８】
５．以上、添付図面を参照して本発明の好ましい実施形態を説明したが、本発明はかかる実施形態に限定されるものではなく、特許請求の範囲の記載から把握される技術的範囲において種々の形態に変更可能である。
【符号の説明】
【０１８９】
１    完全非対面物流システム
２    サーバ装置
３    拠点ＢＯＸ
４    差出人端末
５    受取人端末
６    コマース事業者端末
７    物流事業者端末
８ａ、８ｂ  通信ネットワーク
９    荷物
１０  情報送受信部
１１  制御部
１２  ＩＤ発行処理部
１３  認証処理部
１４  拠点ＢＯＸ管理部
１５  物品移送管理部
１６  物流費算出処理部
１７  記憶部
１８  基本料金
１９  使用時間対応料金
２０  同一拠点ＢＯＸ配送費
２１  同一地区内配送費
２２  地区間配送費
【図１】
2017056177.tif 000003
【図２】
2017056177.tif 000004
【図３】
2017056177.tif 000005
【図４】
2017056177.tif 000006
【図５】
2017056177.tif 000007
【図６】
2017056177.tif 000008
【図７】
2017056177.tif 000009
【図８】
2017056177.tif 000010
【手続補正書】
【提出日】平成28年7月5日(2016.7.5)
【手続補正１】
【補正対象書類名】特許請求の範囲
【補正対象項目名】全文
【補正方法】変更
【補正の内容】
【特許請求の範囲】
【請求項１】
ネットワークに接続されているコンピュータからなり、
記憶部を備えていて、当該記憶部に、特定の物品を差し出す物品差出人と、当該特定の物品を受け取る物品受取人との間に成立した特定の取引を特定する取引ＩＤが登録され、更に、
前記取引ＩＤを用いた認証要求を受けた際に認証処理を行う認証処理部と、
前記物品差出人が前記特定の物品を前記物品受取人へ送付するにあたって前記特定の物品を一時保管する拠点ＢＯＸである差出拠点ＢＯＸから前記取引ＩＤを用いた認証要求を受け、前記物品受取人が前記送付される前記特定の物品を受け取るにあたって前記特定の物品を一時保管する拠点ＢＯＸである受取拠点ＢＯＸを特定する情報を受けた後に、物流事業者が使用する物流事業者端末に対して、前記差出拠点ＢＯＸから前記特定の物品を取り出して前記受取拠点ＢＯＸへ移送し、前記受取拠点ＢＯＸへ前記特定の物品の一時保管を行うように物品移送指示情報を出す物品移送指示情報作成処理部と、
前記差出拠点ＢＯＸから前記取引ＩＤを用いた認証要求を受けて前記認証処理部が認証を行った後、前記差出拠点ＢＯＸに向けて送出される開錠指示情報を作成し、前記受取拠点ＢＯＸから前記取引ＩＤを用いた認証要求を受けて前記認証処理部が認証を行った後、前記受取拠点ＢＯＸに向けて送出される開錠指示情報を作成する拠点ＢＯＸ管理部と
を備えている完全非対面物流システム。
【請求項２】
前記記憶部には、更に、前記物品差出人を特定する物品差出人ＩＤと、前記物品受取人を特定する物品受取人ＩＤとがそれぞれ前記取引ＩＤに関連付けて登録される請求項１記載の完全非対面物流システム。
【請求項３】
ネットワークに接続されているコンピュータからなり、
記憶部と、
特定の物品を差し出す物品差出人と、当該特定の物品を受け取る物品受取人との間に成立した特定の取引を特定する取引ＩＤを発行するＩＤ発行処理部と、
前記取引ＩＤを用いた認証要求を受けた際に認証処理を行う認証処理部と、
前記物品差出人が前記特定の物品を前記物品受取人へ送付するにあたって前記特定の物品を一時保管する拠点ＢＯＸである差出拠点ＢＯＸから前記取引ＩＤを用いた認証要求を受け、前記物品受取人が前記送付される前記特定の物品を受け取るにあたって前記特定の物品を一時保管する拠点ＢＯＸである受取拠点ＢＯＸを特定する情報を受けた後に、物流事業者が使用する物流事業者端末に対して、前記差出拠点ＢＯＸから前記特定の物品を取り出して前記受取拠点ＢＯＸへ移送し、前記受取拠点ＢＯＸへ前記特定の物品の一時保管を行うように物品移送指示情報を出す物品移送指示情報作成処理部と、
前記差出拠点ＢＯＸから前記取引ＩＤを用いた認証要求を受けて前記認証処理部が認証を行った後、前記差出拠点ＢＯＸに向けて送出される開錠指示情報を作成し、前記受取拠点ＢＯＸから前記取引ＩＤを用いた認証要求を受けて前記認証処理部が認証を行った後、前記受取拠点ＢＯＸに向けて送出される開錠指示情報を作成する拠点ＢＯＸ管理部と
を備えている完全非対面物流システム。
【請求項４】
前記ＩＤ発行処理部は、更に、前記物品差出人を特定する物品差出人ＩＤと、前記物品受取人を特定する物品受取人ＩＤとをそれぞれ前記取引ＩＤに関連付けて発行する請求項３記載の完全非対面物流システム。
【請求項５】
前記認証処理部は、更に、物品差出人ＩＤ又は前記物品受取人ＩＤを用いた認証要求を受けた際にそれぞれ認証処理を行う
請求項２又は４記載の完全非対面物流システム。
【請求項６】
前記物品受取人が使用する物品受取人端末から前記受取拠点ＢＯＸを特定する情報を受けたときに、前記拠点ＢＯＸ管理部により、前記受取拠点ＢＯＸに関する情報が前記取引ＩＤに関連付けられて前記記憶部に登録される
請求項５記載の完全非対面物流システム。
【請求項７】
前記物品受取人が使用する物品受取人端末に対して、利用可能な複数の前記拠点ＢＯＸに関する情報を提供し、前記物品受取人が前記特定の物品を前記物品差出人から受け取るにあたって前記特定の物品を一時保管する受取拠点ＢＯＸを選択するように促す拠点ＢＯＸ情報提供処理部を更に備えている
請求項１〜６のいずれか一項記載の完全非対面物流システム。
【請求項８】
前記拠点ＢＯＸ情報提供処理部は、前記物品差出人が使用する物品差出人端末に対して、利用可能な複数の前記拠点ＢＯＸに関する情報を提供し、前記物品差出人が前記特定の物品を前記物品受取人へ送付するにあたって前記特定の物品を一時保管する差出拠点ＢＯＸを選択するように促す
請求項７記載の完全非対面物流システム。
【請求項９】
物流費算出処理部を更に備えており、
前記受取拠点ＢＯＸから前記取引ＩＤを取得して前記認証処理部が行う認証が第二回目以降の認証処理であって、当該認証処理により第二回目以降の開錠指示情報を送出する場合に、
前記開錠指示情報を送出する前に、物流費算出処理部が算出した物流費に関する情報が前記受取拠点ＢＯＸに送出され、
前記受取拠点ＢＯＸから当該物流費が決済された旨の情報を受け取った後に前記第二回目以降の開錠指示情報が送出されるようにする
請求項１〜８のいずれか一項記載の完全非対面物流システム。
【請求項１０】
物流費算出処理部が算出する前記物流費には、前記差出拠点ＢＯＸから施錠情報を取得した時点から、前記受取拠点ＢＯＸから前記取引ＩＤを取得して行う前記第二回目以降の認証処理までの時間を計測し、当該計測した時間に対応させて算出された使用時間対応料金が含まれている
請求項９記載の完全非対面物流システム。
【請求項１１】
物流費算出処理部が算出する前記物流費には、前記差出拠点ＢＯＸと前記受取拠点ＢＯＸとの間の距離に対応させて算出された使用距離対応料金が含まれている
請求項９又は１０記載の完全非対面物流システム。
【請求項１２】
物流費算出処理部を更に備えており、
当該物流費算出処理部が算出する前記物流費には、前記特定の物品を前記差出拠点ＢＯＸに一時保管し、前記特定の物品を前記差出拠点ＢＯＸから前記受取拠点ＢＯＸへ移送し、前記特定の物品を前記受取拠点ＢＯＸに一時保管するのに必要な基本料金が含まれ、
前記差出拠点ＢＯＸから前記取引ＩＤを取得して前記認証処理部が行う認証が第一回目の認証処理であって、当該認証処理により第一回目の開錠情報を送出する場合に、
前記開錠情報を送出する前に、前記物流費算出処理部が算出した前記基本料金に関する情報が前記差出拠点ＢＯＸに送出され、
前記差出拠点ＢＯＸから当該基本料金が決済された旨の情報を受け取った後に前記開錠情報が送出されるようにする
請求項１〜８のいずれか一項記載の完全非対面物流システム。
【請求項１３】
前記受取拠点ＢＯＸから前記取引ＩＤを取得して前記認証処理部が行う認証が第二回目以降の認証処理であって、当該認証処理により第二回目以降の開錠指示情報を送出する場合に、前記開錠指示情報を送出する前に、物流費算出処理部が算出する物流費は、前記決済された基本料金で賄われていなかった物流費である
請求項１２記載の完全非対面物流システム。
【請求項１４】
前記差出拠点ＢＯＸから一回目の施錠情報を取得した後に、前記物品差出人が使用する物品差出人端末及び／又は前記物品受取人が使用する物品受取端末に対して、前記差出拠点ＢＯＸに前記特定の物品が預入されたとの情報を通知する預入状態通知処理部
を更に備えている請求項１〜１３のいずれか一項記載の完全非対面物流システム。
【請求項１５】
前記預入状態通知処理部は、前記差出拠点ＢＯＸから二回目の施錠情報を取得した後に、前記物品差出人が使用する物品差出人端末及び／又は前記物品受取人が使用する物品受取端末に対して、前記差出拠点ＢＯＸから前記物流事業者によって前記特定の物品が取り出され、前記受取拠点ＢＯＸに向けた移送が開始されたとの情報を通知する
請求項１４記載の完全非対面物流システム。
【請求項１６】
前記預入状態通知処理部は、前記受取拠点ＢＯＸから一回目の施錠情報を取得した後に、前記物品差出人が使用する物品差出人端末及び／又は前記物品受取人が使用する物品受取端末に対して、前記受取拠点ＢＯＸに前記特定の物品が預入されたとの情報を通知する
請求項１５記載の完全非対面物流システム。
【請求項１７】
前記預入状態通知処理部は、前記受取拠点ＢＯＸから二回目の施錠情報を取得した後に、前記物品差出人が使用する物品差出人端末及び／又は前記物品受取人が使用する物品受取端末に対して、前記受取拠点ＢＯＸから前記物品受取人によって前記特定の物品が取り出されとの情報を通知する
請求項１６記載の完全非対面物流システム。
【手続補正２】
【補正対象書類名】明細書
【補正対象項目名】００１１
【補正方法】変更
【補正の内容】
【００１１】
請求項１の発明は、
ネットワークに接続されているコンピュータからなり、
記憶部を備えていて、当該記憶部に、特定の物品を差し出す物品差出人と、当該特定の物品を受け取る物品受取人との間に成立した特定の取引を特定する取引ＩＤが登録され、更に、
前記取引ＩＤを用いた認証要求を受けた際に認証処理を行う認証処理部と、
前記物品差出人が前記特定の物品を前記物品受取人へ送付するにあたって前記特定の物品を一時保管する拠点ＢＯＸである差出拠点ＢＯＸから前記取引ＩＤを用いた認証要求を受け、前記物品受取人が前記送付される前記特定の物品を受け取るにあたって前記特定の物品を一時保管する拠点ＢＯＸである受取拠点ＢＯＸを特定する情報を受けた後に、物流事業者が使用する物流事業者端末に対して、前記差出拠点ＢＯＸから前記特定の物品を取り出して前記受取拠点ＢＯＸへ移送し、前記受取拠点ＢＯＸへ前記特定の物品の一時保管を行うように物品移送指示情報を出す物品移送指示情報作成処理部と、
前記差出拠点ＢＯＸから前記取引ＩＤを用いた認証要求を受けて前記認証処理部が認証を行った後、前記差出拠点ＢＯＸに向けて送出される開錠指示情報を作成し、前記受取拠点ＢＯＸから前記取引ＩＤを用いた認証要求を受けて前記認証処理部が認証を行った後、前記受取拠点ＢＯＸに向けて送出される開錠指示情報を作成する拠点ＢＯＸ管理部と
を備えている完全非対面物流システムである。
【手続補正３】
【補正対象書類名】明細書
【補正対象項目名】００１２
【補正方法】変更
【補正の内容】
【００１２】
請求項３の発明は、
ネットワークに接続されているコンピュータからなり、
記憶部と、
特定の物品を差し出す物品差出人と、当該特定の物品を受け取る物品受取人との間に成立した特定の取引を特定する取引ＩＤを発行するＩＤ発行処理部と、
前記取引ＩＤを用いた認証要求を受けた際に認証処理を行う認証処理部と、
前記物品差出人が前記特定の物品を前記物品受取人へ送付するにあたって前記特定の物品を一時保管する拠点ＢＯＸである差出拠点ＢＯＸから前記取引ＩＤを用いた認証要求を受け、前記物品受取人が前記送付される前記特定の物品を受け取るにあたって前記特定の物品を一時保管する拠点ＢＯＸである受取拠点ＢＯＸを特定する情報を受けた後に、物流事業者が使用する物流事業者端末に対して、前記差出拠点ＢＯＸから前記特定の物品を取り出して前記受取拠点ＢＯＸへ移送し、前記受取拠点ＢＯＸへ前記特定の物品の一時保管を行うように物品移送指示情報を出す物品移送指示情報作成処理部と、
前記差出拠点ＢＯＸから前記取引ＩＤを用いた認証要求を受けて前記認証処理部が認証を行った後、前記差出拠点ＢＯＸに向けて送出される開錠指示情報を作成し、前記受取拠点ＢＯＸから前記取引ＩＤを用いた認証要求を受けて前記認証処理部が認証を行った後、前記受取拠点ＢＯＸに向けて送出される開錠指示情報を作成する拠点ＢＯＸ管理部と
を備えている完全非対面物流システムである。
【手続補正書】
【提出日】平成28年11月1日(2016.11.1)
【手続補正１】
【補正対象書類名】特許請求の範囲
【補正対象項目名】全文
【補正方法】変更
【補正の内容】
【特許請求の範囲】
【請求項１】
ネットワークに接続されているコンピュータからなり、
記憶部を備えていて、当該記憶部に、特定の物品を差し出す物品差出人と、当該特定の物品を受け取る物品受取人との間に成立した特定の取引を特定する取引ＩＤが登録され、更に、
前記取引ＩＤを用いた認証要求を受けた際に認証処理を行う認証処理部と、
前記物品差出人が前記特定の物品を前記物品受取人へ送付するにあたって前記特定の物品を一時保管する拠点ＢＯＸである差出拠点ＢＯＸから前記取引ＩＤを用いた認証要求を受け、前記物品受取人が前記送付される前記特定の物品を受け取るにあたって前記特定の物品を一時保管する拠点ＢＯＸである受取拠点ＢＯＸを特定する情報を受けた後に、物流事業者が使用する物流事業者端末に対して、前記差出拠点ＢＯＸから前記特定の物品を取り出して前記受取拠点ＢＯＸへ移送し、前記受取拠点ＢＯＸへ前記特定の物品の一時保管を行うように物品移送指示情報を出す物品移送指示情報作成処理部と、
前記差出拠点ＢＯＸから前記取引ＩＤを用いた認証要求を受けて前記認証処理部が認証を行った後、前記差出拠点ＢＯＸに向けて送出される開錠指示情報であって前記差出拠点ＢＯＸが備えている施錠管理部に対して前記差出拠点ＢＯＸにおける施錠されている所定の収納部を開錠する処理を行うように促す開錠指示情報を作成し、前記受取拠点ＢＯＸから前記取引ＩＤを用いた認証要求を受けて前記認証処理部が認証を行った後、前記受取拠点ＢＯＸに向けて送出される開錠指示情報であって前記受取拠点ＢＯＸが備えている施錠管理部に対して前記受取拠点ＢＯＸにおける施錠されている所定の収納部を開錠する処理を行うように促す開錠指示情報を作成する拠点ＢＯＸ管理部と
を備えている完全非対面物流システム。
【請求項２】
前記記憶部には、更に、前記物品差出人を特定する物品差出人ＩＤと、前記物品受取人を特定する物品受取人ＩＤとがそれぞれ前記取引ＩＤに関連付けて登録される請求項１記載の完全非対面物流システム。
【請求項３】
ネットワークに接続されているコンピュータからなり、
記憶部と、
特定の物品を差し出す物品差出人と、当該特定の物品を受け取る物品受取人との間に成立した特定の取引を特定する取引ＩＤを発行するＩＤ発行処理部と、
前記取引ＩＤを用いた認証要求を受けた際に認証処理を行う認証処理部と、
前記物品差出人が前記特定の物品を前記物品受取人へ送付するにあたって前記特定の物品を一時保管する拠点ＢＯＸである差出拠点ＢＯＸから前記取引ＩＤを用いた認証要求を受け、前記物品受取人が前記送付される前記特定の物品を受け取るにあたって前記特定の物品を一時保管する拠点ＢＯＸである受取拠点ＢＯＸを特定する情報を受けた後に、物流事業者が使用する物流事業者端末に対して、前記差出拠点ＢＯＸから前記特定の物品を取り出して前記受取拠点ＢＯＸへ移送し、前記受取拠点ＢＯＸへ前記特定の物品の一時保管を行うように物品移送指示情報を出す物品移送指示情報作成処理部と、
前記差出拠点ＢＯＸから前記取引ＩＤを用いた認証要求を受けて前記認証処理部が認証を行った後、前記差出拠点ＢＯＸに向けて送出される開錠指示情報であって前記差出拠点ＢＯＸが備えている施錠管理部に対して前記差出拠点ＢＯＸにおける施錠されている所定の収納部を開錠する処理を行うように促す開錠指示情報を作成し、前記受取拠点ＢＯＸから前記取引ＩＤを用いた認証要求を受けて前記認証処理部が認証を行った後、前記受取拠点ＢＯＸに向けて送出される開錠指示情報であって前記受取拠点ＢＯＸが備えている施錠管理部に対して前記受取拠点ＢＯＸにおける施錠されている所定の収納部を開錠する処理を行うように促す開錠指示情報を作成する拠点ＢＯＸ管理部と
を備えている完全非対面物流システム。
【請求項４】
前記ＩＤ発行処理部は、更に、前記物品差出人を特定する物品差出人ＩＤと、前記物品受取人を特定する物品受取人ＩＤとをそれぞれ前記取引ＩＤに関連付けて発行する請求項３記載の完全非対面物流システム。
【請求項５】
前記認証処理部は、更に、物品差出人ＩＤ又は前記物品受取人ＩＤを用いた認証要求を受けた際にそれぞれ認証処理を行う
請求項２又は４記載の完全非対面物流システム。
【請求項６】
前記物品受取人が使用する物品受取人端末から前記受取拠点ＢＯＸを特定する情報を受けたときに、前記拠点ＢＯＸ管理部により、前記受取拠点ＢＯＸに関する情報が前記取引ＩＤに関連付けられて前記記憶部に登録される
請求項５記載の完全非対面物流システム。
【請求項７】
前記物品受取人が使用する物品受取人端末に対して、利用可能な複数の前記拠点ＢＯＸに関する情報を提供し、前記物品受取人が前記特定の物品を前記物品差出人から受け取るにあたって前記特定の物品を一時保管する受取拠点ＢＯＸを選択するように促す拠点ＢＯＸ情報提供処理部を更に備えている
請求項１〜６のいずれか一項記載の完全非対面物流システム。
【請求項８】
前記拠点ＢＯＸ情報提供処理部は、前記物品差出人が使用する物品差出人端末に対して、利用可能な複数の前記拠点ＢＯＸに関する情報を提供し、前記物品差出人が前記特定の物品を前記物品受取人へ送付するにあたって前記特定の物品を一時保管する差出拠点ＢＯＸを選択するように促す
請求項７記載の完全非対面物流システム。
【請求項９】
物流費算出処理部を更に備えており、
前記受取拠点ＢＯＸから前記取引ＩＤを取得して前記認証処理部が行う認証が第二回目以降の認証処理であって、当該認証処理により第二回目以降の開錠指示情報を送出する場合に、
前記開錠指示情報を送出する前に、物流費算出処理部が算出した物流費に関する情報が前記受取拠点ＢＯＸに送出され、
前記受取拠点ＢＯＸから当該物流費が決済された旨の情報を受け取った後に前記第二回目以降の開錠指示情報が送出されるようにする
請求項１〜８のいずれか一項記載の完全非対面物流システム。
【請求項１０】
物流費算出処理部が算出する前記物流費には、前記差出拠点ＢＯＸから施錠情報を取得した時点から、前記受取拠点ＢＯＸから前記取引ＩＤを取得して行う前記第二回目以降の認証処理までの時間を計測し、当該計測した時間に対応させて算出された使用時間対応料金が含まれている
請求項９記載の完全非対面物流システム。
【請求項１１】
物流費算出処理部が算出する前記物流費には、前記差出拠点ＢＯＸと前記受取拠点ＢＯＸとの間の距離に対応させて算出された使用距離対応料金が含まれている
請求項９又は１０記載の完全非対面物流システム。
【請求項１２】
物流費算出処理部を更に備えており、
当該物流費算出処理部が算出する前記物流費には、前記特定の物品を前記差出拠点ＢＯＸに一時保管し、前記特定の物品を前記差出拠点ＢＯＸから前記受取拠点ＢＯＸへ移送し、前記特定の物品を前記受取拠点ＢＯＸに一時保管するのに必要な基本料金が含まれ、
前記差出拠点ＢＯＸから前記取引ＩＤを取得して前記認証処理部が行う認証が第一回目の認証処理であって、当該認証処理により第一回目の開錠情報を送出する場合に、
前記開錠情報を送出する前に、前記物流費算出処理部が算出した前記基本料金に関する情報が前記差出拠点ＢＯＸに送出され、
前記差出拠点ＢＯＸから当該基本料金が決済された旨の情報を受け取った後に前記開錠情報が送出されるようにする
請求項１〜８のいずれか一項記載の完全非対面物流システム。
【請求項１３】
前記受取拠点ＢＯＸから前記取引ＩＤを取得して前記認証処理部が行う認証が第二回目以降の認証処理であって、当該認証処理により第二回目以降の開錠指示情報を送出する場合に、前記開錠指示情報を送出する前に、物流費算出処理部が算出する物流費は、前記決済された基本料金で賄われていなかった物流費である
請求項１２記載の完全非対面物流システム。
【請求項１４】
前記差出拠点ＢＯＸから一回目の施錠情報を取得した後に、前記物品差出人が使用する物品差出人端末及び／又は前記物品受取人が使用する物品受取端末に対して、前記差出拠点ＢＯＸに前記特定の物品が預入されたとの情報を通知する預入状態通知処理部
を更に備えている請求項１〜１３のいずれか一項記載の完全非対面物流システム。
【請求項１５】
前記預入状態通知処理部は、前記差出拠点ＢＯＸから二回目の施錠情報を取得した後に、前記物品差出人が使用する物品差出人端末及び／又は前記物品受取人が使用する物品受取端末に対して、前記差出拠点ＢＯＸから前記物流事業者によって前記特定の物品が取り出され、前記受取拠点ＢＯＸに向けた移送が開始されたとの情報を通知する
請求項１４記載の完全非対面物流システム。
【請求項１６】
前記預入状態通知処理部は、前記受取拠点ＢＯＸから一回目の施錠情報を取得した後に、前記物品差出人が使用する物品差出人端末及び／又は前記物品受取人が使用する物品受取端末に対して、前記受取拠点ＢＯＸに前記特定の物品が預入されたとの情報を通知する
請求項１５記載の完全非対面物流システム。
【請求項１７】
前記預入状態通知処理部は、前記受取拠点ＢＯＸから二回目の施錠情報を取得した後に、前記物品差出人が使用する物品差出人端末及び／又は前記物品受取人が使用する物品受取端末に対して、前記受取拠点ＢＯＸから前記物品受取人によって前記特定の物品が取り出されとの情報を通知する
請求項１６記載の完全非対面物流システム。
【手続補正２】
【補正対象書類名】明細書
【補正対象項目名】００１１
【補正方法】変更
【補正の内容】
【００１１】
請求項１の発明は、
ネットワークに接続されているコンピュータからなり、
記憶部を備えていて、当該記憶部に、特定の物品を差し出す物品差出人と、当該特定の物品を受け取る物品受取人との間に成立した特定の取引を特定する取引ＩＤが登録され、更に、
前記取引ＩＤを用いた認証要求を受けた際に認証処理を行う認証処理部と、
前記物品差出人が前記特定の物品を前記物品受取人へ送付するにあたって前記特定の物品を一時保管する拠点ＢＯＸである差出拠点ＢＯＸから前記取引ＩＤを用いた認証要求を受け、前記物品受取人が前記送付される前記特定の物品を受け取るにあたって前記特定の物品を一時保管する拠点ＢＯＸである受取拠点ＢＯＸを特定する情報を受けた後に、物流事業者が使用する物流事業者端末に対して、前記差出拠点ＢＯＸから前記特定の物品を取り出して前記受取拠点ＢＯＸへ移送し、前記受取拠点ＢＯＸへ前記特定の物品の一時保管を行うように物品移送指示情報を出す物品移送指示情報作成処理部と、
前記差出拠点ＢＯＸから前記取引ＩＤを用いた認証要求を受けて前記認証処理部が認証を行った後、前記差出拠点ＢＯＸに向けて送出される開錠指示情報であって前記差出拠点ＢＯＸが備えている施錠管理部に対して前記差出拠点ＢＯＸにおける施錠されている所定の収納部を開錠する処理を行うように促す開錠指示情報を作成し、前記受取拠点ＢＯＸから前記取引ＩＤを用いた認証要求を受けて前記認証処理部が認証を行った後、前記受取拠点ＢＯＸに向けて送出される開錠指示情報であって前記受取拠点ＢＯＸが備えている施錠管理部に対して前記受取拠点ＢＯＸにおける施錠されている所定の収納部を開錠する処理を行うように促す開錠指示情報を作成する拠点ＢＯＸ管理部と
を備えている完全非対面物流システムである。
【手続補正３】
【補正対象書類名】明細書
【補正対象項目名】００１２
【補正方法】変更
【補正の内容】
【００１２】
請求項３の発明は、
ネットワークに接続されているコンピュータからなり、
記憶部と、
特定の物品を差し出す物品差出人と、当該特定の物品を受け取る物品受取人との間に成立した特定の取引を特定する取引ＩＤを発行するＩＤ発行処理部と、
前記取引ＩＤを用いた認証要求を受けた際に認証処理を行う認証処理部と、
前記物品差出人が前記特定の物品を前記物品受取人へ送付するにあたって前記特定の物品を一時保管する拠点ＢＯＸである差出拠点ＢＯＸから前記取引ＩＤを用いた認証要求を受け、前記物品受取人が前記送付される前記特定の物品を受け取るにあたって前記特定の物品を一時保管する拠点ＢＯＸである受取拠点ＢＯＸを特定する情報を受けた後に、物流事業者が使用する物流事業者端末に対して、前記差出拠点ＢＯＸから前記特定の物品を取り出して前記受取拠点ＢＯＸへ移送し、前記受取拠点ＢＯＸへ前記特定の物品の一時保管を行うように物品移送指示情報を出す物品移送指示情報作成処理部と、
前記差出拠点ＢＯＸから前記取引ＩＤを用いた認証要求を受けて前記認証処理部が認証を行った後、前記差出拠点ＢＯＸに向けて送出される開錠指示情報であって前記差出拠点ＢＯＸが備えている施錠管理部に対して前記差出拠点ＢＯＸにおける施錠されている所定の収納部を開錠する処理を行うように促す開錠指示情報を作成し、前記受取拠点ＢＯＸから前記取引ＩＤを用いた認証要求を受けて前記認証処理部が認証を行った後、前記受取拠点ＢＯＸに向けて送出される開錠指示情報であって前記受取拠点ＢＯＸが備えている施錠管理部に対して前記受取拠点ＢＯＸにおける施錠されている所定の収納部を開錠する処理を行うように促す開錠指示情報を作成する拠点ＢＯＸ管理部と
を備えている完全非対面物流システムである。
【国際調査報告】
2017056177.tif 000011
2017056177.tif 000012
2017056177.tif 000013
2017056177.tif 000014